(57)【要約】      （修正有）【課題】雨樋でのオーバーフローによる被害を経済的に軽減するためのオーバーフロー予知装置を提供する。【解決手段】  雨樋１内に流入した雨水が満水レベルに達するより前に雨樋１内の雨水をオーバーフローさせるように雨樋１に取付けられたオーバーフロー管１０と、オーバーフロー管１０を通して雨樋１の外へ排出される雨水を建屋３の外の人目に付く場所、若しくは建屋３の内の人目に付いてオーバーフロー水による被害を受けない安全な場所まで導いて人目に付くように排出させる雨水排出管２０とからなる。軒樋や谷樋などの横向きの雨樋１からのオーバーフローを複雑な機構や電気回路を用いることなく、極めて経済的に事前検知する。【選択図】図１
0003188301.tif 000002
【実用新案登録請求の範囲】
【請求項１】
横向きの雨樋内に流入した雨水が満水レベルに達するより前に当該雨樋内の雨水をオーバーフローさせるように当該雨樋に取付けられたオーバーフロー管と、
オーバーフロー管を通して雨樋の外へ排出される雨水を建屋外の人目に付く場所、若しくは建屋内の人目に付いてオーバーフロー水による被害を受けない安全な場所まで導いて人目に付くように排出させる雨水排出管とを具備するオーバーフロー予知装置。
【請求項２】
請求項１に記載のオーバーフロー予知装置において、オーバーフロー管は、雨樋の底部に当該底部を垂直方向に貫通して取付けられる縦管であり、且つ当該縦管の上端流入口は雨樋の満水レベルより下であるオーバーフロー予知装置。
【請求項３】
請求項２に記載のオーバーフロー予知装置において、前記縦管の上端流入口は、雨樋の満水レベル近傍であるオーバーフロー予知装置。
【請求項４】
請求項１に記載のオーバーフロー予知装置において、オーバーフロー管は、雨樋の側壁部に当該側壁部を水平方向に貫通して取付けられる横管であり、且つ当該横管の内側流入口は雨樋の満水レベルより下であるオーバーフロー予知装置。
【請求項５】
請求項４に記載のオーバーフロー予知装置において、前記横管の内側流入口は雨樋の満水レベル近傍であるオーバーフロー予知装置。
【考案の詳細な説明】
【技術分野】
【０００１】
本考案は、軒樋や谷樋などの横向きの雨樋からのオーバーフローを未然に検知する雨樋用のオーバーフロー予知装置に関する。
【背景技術】
【０００２】
近年、１０年に一度、数１０年に一度というような集中豪雨、ゲリラ豪雨が各地で頻発している。そのような集中豪雨、ゲリラ豪雨に見舞われると、先ずは雨樋でオーバーフローが発生する。雨樋でオーバーフローが簡単に発生するのは、近年の集中豪雨、ゲリラ豪雨における雨量を雨樋の設計時に想定していないからであり、縦樋を通した設計排水量より多量の雨水が軒樋、谷樋といった横方向の雨樋に流入することによる。そして、雨樋でオーバーフローが発生すると、特に谷樋、或いは軒樋でも内樋の場合は、建屋のなかに雨水が侵入し、被害が大きくなる。
【０００３】
雨樋でのオーバーフローの問題は、集中豪雨、ゲリラ豪雨によるだけでなく、縦樋の詰まりによっても生じる。
【０００４】
このようなことから雨樋でのオーバーフローによる被害を軽減することが昔から求められており、この観点から軒樋を２重構造とすることは特許文献１により提示されている。軒樋を２重構造とすればオーバーフローは防止できるが、雨樋に要するコストが著しく高くなる。このようなことから、雨樋でのオーバーフローによる被害を経済的に軽減できる対策が、昨今の状況に鑑み希求されている。
【先行技術文献】
【特許文献】
【０００５】
【特許文献１】特開昭０３−３２３１９２号公報
【考案の概要】
【考案が解決しようとする課題】
【０００６】
本考案の目的は、雨樋でのオーバーフローによる被害を経済的に軽減することにあり、より具体的には、軒樋や谷樋などの横向きの雨樋からのオーバーフローを複雑な機構や電気回路を用いることなく極めて経済的に事前検知できる雨樋用のオーバーフロー予知装置を提供することにある。
【課題を解決するための手段】
【０００７】
前記目的を達成するために、本考案のオーバーフロー予知装置は、横向きの雨樋内に流入した雨水が満水レベルに達するより前に当該雨樋内の雨水をオーバーフローさせるように当該雨樋に取付けられたオーバーフロー管と、オーバーフロー管を通して雨樋の外へ排出される雨水を建屋外の人目に付く場所、若しくは建屋内の人目に付いてオーバーフロー水による被害を受けない安全な場所まで導いて人目に付くように排出させる雨水排出管とを具備している。
【０００８】
本考案のオーバーフロー予知装置によると、雨樋に流入する雨水が増えてオーバーフローが近づくと、オーバーフローより前にオーバーフロー管から雨水が排出される。オーバーフロー管からの排水は、雨水排出管を通して建屋外の人目に付く場所、若しくは建屋内の人目に付いてオーバーフロー水による被害を受けない安全な場所まで導かれて人目に付くように排出される。
【０００９】
建屋に関わる人々は、普段は雨水排出管から水が出ないことを知っている。その雨水排出管から水が排出されるのを見て、人々は雨樋がオーバーフローに近づいているのを知ることができ、事前に様々な対策を講じることにより、オーバーフローによる被害を最小限に抑えることができる。雨水排出管から雨水が排出される箇所は建屋外、若しくは建屋内でもオーバーフロー水による被害を受けない安全な場所であるので、雨水排出管からの排水による被害は生じない。
【００１０】
オーバーフロー管としては、雨樋の底部に当該底部を垂直方向に貫通して取付けられた縦管（上端の流入口は雨樋の満水レベルより下であり、望ましくは満水レベル近傍）、或いは雨樋の側壁部に当該側壁部を水平方向に貫通して取付けられた横管（内側の流入口は雨樋の満水レベルより下であり、望ましくは満水レベル近傍）などを挙げることができる。
【考案の効果】
【００１１】
本考案のオーバーフロー予知装置は、オーバーフロー管と雨水排出管とを組み合わせという簡単な機械的構成により、雨樋でのオーバーフローを関係者に事前に知らせることができるので、雨樋でのオーバーフローによる被害を可及的に軽減することができ、しかもその被害軽減に要するコストは僅かで経済性に著しくすぐれる。
【図面の簡単な説明】
【００１２】
【図１】本考案の第１実施形態を示すオーバーフロー予知装置の構成図で立面図である。
【図２】本考案の第２実施形態を示すオーバーフロー予知装置の構成図で立面図である。
【考案を実施するための形態】
【００１３】
以下に、本考案の実施形態を、図面を参照しながら具体的かつ詳細に説明する。
【００１４】
第１実施形態のオーバーフロー予知装置は、図１に示すように、軒樋１（ここでは内樋）からのオーバーフローを未然に検知するものであり、その軒樋１の底板部に当該底板部を垂直に貫通して取付けられた直管状で縦型のオーバーフロー管１０と、オーバーフロー管１０の下流側に接続されたＬ管状の雨水排出管２０とを備えている。
【００１５】
縦型のオーバーフロー管１０は、軒樋１の底板部より上に垂直に配置された立ち上げ管１１と、その取付け部として底板部からその下にかけて設置されたベース管１２とからなる。立ち上げ管１１の上端は雨水流入口であり、軒樋１の満水レベルより下で且つ満水レベルの近傍に位置している。その雨水流入口には、異物の侵入を阻止して詰まりを防止するために、パンチングメタルからなるキャップが装着されている。
【００１６】
ベース管１２は、上端部にフランジを有する内筒と、同じく上端部にフランジを有する外筒とがねじ込みにより組み合わされた２筒構造のドレンである。そして、軒樋１の底板部に形成された開口部に上から内筒を差し込み、その内筒に下から外筒をねじ込むことにより、当該ベース管１２が底板部の開口部周囲に挟持固定されると共に、内筒のフランジ上に接合された立ち上げ管１１が軒樋１内の底板部上に立設固定される。
【００１７】
Ｌ管状の雨水排出管２０は、オーバーフロー管１０の底板部より下に突出したベース管１２の下部に接続されている。具体的には、雨水排出管２０の垂直管部２１の上端部がベース管１２に下から接続されており、雨水排出管２０の水平管部２２は、建屋３の外壁４を貫通して出口部を建屋３の外の比較的高い箇所へ突出させている。
【００１８】
第１実施形態のオーバーフロー予知装置によると、軒樋１に流入する雨水が増え、そのレベルが上昇してオーバーフロー管１０の上端レベルに到達すると、その軒樋１内の雨水がオーバーフロー管１０内に流入し始める。そうすると、軒樋１内の雨水がオーバーフロー管１０を介して雨水排出管２０から建屋３の外に流出し始める。この段階では、軒樋１内の雨水は満水レベルには達していない。すなわち、軒樋１でのオーバーフローに先立って雨水排出管２０から雨水が排出され始める。
【００１９】
雨水排出管２０は建屋３の外の人目に付き易いところに臨んでおり、そこからの排出は建屋３内に悪影響を与えない。また、建屋３の外を通る人々は常日頃、雨水排出管２０を見ており、普段は雨水排出管２０から雨水が排出されないことを知っているので、その雨水排出管２０から雨水が排出されるのを目撃したとき、軒樋１でのオーバーフローが近いことを認識することができる。この段階で、建屋１内でオーバーフロー対策を講じ始めることにより、オーバーフローによる被害を最小限にくい止めることができる。
【００２０】
かくして、第１実施形態のオーバーフロー予知装置により、軒樋１でのオーバーフローを未然に検知することができる。しかも、このオーバーフロー予知装置は、オーバーフロー管１０と雨水排出管２０とからなり、可動部や電気的な構成部分はもとにより、構造複雑な部分すら有しない。したがって、それ自体が極めて経済的で低コストであると共に、施工にも要するコストも僅かである。
【００２１】
第２実施形態のオーバーフロー予知装置は、図２に示すように、建屋３と建屋３の屋根間に設けられた谷樋２からのオーバーフローを未然に検知するものであり、その谷樋２の側壁部に当該側壁部を水平に貫通して取付けられた直管状で横型のオーバーフロー管１０と、オーバーフロー管１０の下流側に接続されたＬ管状の雨水排出管２０とを備えている。
【００２２】
横型のオーバーフロー管１０は、入口側の端部にフランジを有する内筒と、同じく入口側の端部にフランジを有する外筒とがねじ込みにより組み合わされた２筒構造のドレンである。そして、谷樋２の側壁部に形成された開口部に内側から内筒を差し込み、その内筒に外から外筒をねじ込むことにより、当該オーバーフロー管１０は谷樋２の側壁部から外側へ突出した状態で当該側壁部に取付けられる。オーバーフロー管１０の取付けレベルは、当該谷樋２の満水レベルより下の満水レベル近傍である。谷樋２内を臨む入口部には、メッシュからなるキャップが装着されている。
【００２３】
Ｌ管状の雨水排出管２０は、オーバーフロー管１０の出口部に接続されている。具体的には、雨水排出管２０の垂直管部２１の上端部がオーバーフロー管１０の出口部に下から接続されており、雨水排出管２０の水平管部２２は、建屋３内を経由して出口部を建屋３の外のへ突出させている。
【００２４】
第２実施形態のオーバーフロー予知装置によると、第１実施形態のオーバーフロー予知装置と同様に、谷樋２でのオーバーフローに先立って雨水排出管２０から雨水が排出され始めることにより、谷樋２でのオーバーフローが近いことを認識することができる。そして、この段階で、建屋３内でオーバーフロー対策を講じ始めることにより、オーバーフローによる被害を最小限にくい止めることができる。しかも、このオーバーフロー予知装置は、オーバーフロー管１０と雨水排出管２０とからなり、可動部や電気的な構成部分はもとにより、構造複雑な部分すら有しない。したがって、それ自体が極めて経済的で低コストであると共に、施工にも要するコストも僅かである。
【００２５】
以上の説明では、集中豪雨、ゲリラ豪雨等の大雨によって雨樋がオーバーフローする場合について説明したが、雨樋でのオーバーフローは大雨だけでなく、図２に示すように、排水用の縦樋５が詰まった場合にも発生する。そのような場合のオーバーフローを事前に検知するのにも、本考案のオーバーフロー予知装置は有効である。
【００２６】
また、第１実施形態のオーバーフロー予知装置では、オーバーフロー管１０は縦管であり、第２実施形態のオーバーフロー予知装置では、オーバーフロー管１０は横管であるが、これに限るものではなく、斜管、Ｕ管などの曲管等で構成してもよい。
【符号の説明】
【００２７】
１：内樋形式の軒樋（雨樋）
２：谷樋（雨樋）
３：建屋
４：外壁
５：縦樋
１０：オーバーフロー管
１１：立ち上げ管
１２  ベース管
２０：雨水排出管
２１：垂直管部
２２：水平管部
【図１】
0003188301.tif 000003
【図２】
0003188301.tif 000004